(57)【要約】【課題】（イ）適性漢方薬、体質等を選ぶには、従来までは四診（望、聞、問、切）によらねば出来なかった。経験なしには一歩たりとも選べなかった。（ロ）治療効果を高めるには、複数方剤の配合が必要であるが、以前に経験がなければ安心して飲用させることが出来なかった。（ハ）病気の進行状況が解らないので、その病気が良性か悪性かが解らない。（ニ）漢方薬の治療効果は経験主義なので、理論性に乏しく、難病治療にはどうして良いのか解らなかった。以上の点を解決する、物質の特性を知る氣ラジテスターを提供する。【解決手段】漢方薬、体質等をから放射されているエネルギーと、共鳴出来る高感知能力の強い振り子センサーを作り、このセンサーがスムーズに活動出来るように真鍮丸棒のアングルの装置を作り、更に正確な測定が出来るように測定用チャートを作り、すべての物質の特性を知る氣ラジテスター。【選択図】図１
2008067586.tif 000002
【特許請求の範囲】
【請求項１】
漢方薬、新薬、体質、その他、すべての物質から固有に放射しているエネルギーが高感知能力の振り子センサーに共鳴し、増幅されたエネルギーが、測定者の自津神経系の動物的分別機能を興奮させ、台座上のアングルから絹糸により吊るされたセンサーに伝わり、測定用チャート上で移動を起こし、物質の特性を知る氣ラジテスター。
【請求項２】
振り子センサーの運動により客観的に物質特性を知るには、約３０ｃｍ程の糸に吊るす必要から木製台座の上に真鍮丸棒でアングルを組み、左側を高く、右側を低く、左右の頂点から傾斜上に真鍮棒を渡し固定し、高い方から３分の１の部分から絹糸で吊るしたセンサーを台座のチャート１ｃｍ上までぶら下げる事を特徴とする、物質の特性を知る氣ラジテスター。
【請求項３】
振り子センサーは、多孔質の鉱石を五行配合生薬エキスに数ヶ月冷暗所で浸漬し、この溶液より取り出した鉱石を数１０日風乾し作成したもので、これをセンサーとして使用して感知力を高めた請求項１、または請求項２の物質の特性を知る氣ラジテスター。
【請求項４】
測定用チャートもセンサーの感知能力を高めるために五行配合生薬エキス及び多孔質の鉱石を微粉化した粉末を吸着させてチャートに使用した請求項１、または請求項２の物質の特性を知る氣ラジテスター。
【発明の詳細な説明】
【技術分野】
【０００１】  本発明は漢方薬、新薬、体質、その他のすべての物質から固有に放射しているエネルギーが、高感知能力の振り子センサーに共鳴し、増幅されたエネルギーにより、測定用チャート上のセンサーが移動し、物質の特性を知る氣ラジテスターに関するものである。
【背景技術】
【０００２】  従来は、漢方薬、新薬、体質、その他の特性を知るには、科学的分析以外にはなかった。それでも体質分類となると手も足も出なかった。しかも長時間のテストが必要であった、更に、これまでは手に持った振り子センサーの判定もあったが、これは、手の疲労が振動で伝わり客観性に欠け、更に使用された水晶、宝石、金属等のセンサーでは感知能力が非常に弱く、物質の特性の差別化は無理である。
【発明の開示】
【発明が解決しようとする課題】
【０００３】  そのためには、次のような問題点があった。
（イ）漢方薬、新薬、体質、その他のすべての物質から固有に放射されている微弱なエネルギーを客観的に測定する事は現在の科学的技術では出来ない。従って、飲用するなりして生体の反応を見る以外には無かった。
（ロ）これまでは振り子センサー（水晶、宝石、金属等）を利用し、数千年の間活用して来たが、センサーとしての感知能力が弱いので、不思議なエネルギーを備えているとは解っていたが物質の差別化までは無理であった。
（ハ）数十年の間、漢方エキスの配合による相乗効果の研究を実践して来たが、多孔質の鉱石を五行配合生薬エキスの中に長時間浸漬し、この鉱石を中から取り出し、風乾して作ったセンサーが、殊更に感知能力が高まる事を痛感した。
（ニ）このテスターは操作する人の自律神経系の動物的分別機能を活性化する事が重要なので感性豊かな集中力の出来る人が必要であるが、この人の選択には長年の経験からオーラ（精神集中力）８０以上の人が必要であった。本発明は以上の問題点を解決しようとするものである。
【課題を解決するための手段】
【０００４】（イ）振り子センサーを使って客観的に測定するには、木製台座の上に真鍮丸棒でアングルを組み、上から３０ｃｍの長さの絹糸に結んだ振り子センサーをぶら下げる必要がある。
（ロ）物質の特性を判定するには、物質から放射されている微弱なエネルギーと共鳴する高感度の鉱石センサーが必要であった。
（ハ）センサーの感知能力を比較すると、五円玉は８ｃｍ、水晶は１０ｃｍ、宝石類１０ｃｍ、金属類９ｃｍ、宇宙心６５〜１４０ｃｍ。この測定値は、チャート上に記録された数字で、大きい方が感知能力が強い事を表している。本発明は宇宙心６５〜１４０ｃｍの高感度能力のセンサーを使用している。
（ニ）テスターは操作する人の精神の集中力が重要であり、その基準値を設け、オーラで表し、８０以上の人が必要である。
【発明の効果】
【０００５】（イ）本発明により、これまでは体質の分類、漢方薬（生薬）等の適性を選ぶには、古典の四診（望、聞、問、切）によらねば出来なかったが、この四診も抽象的な質問と経験重視なので非常に難しかった。この氣ラジテスターを使用すると、体質の分類も治療効果の高い漢方薬の選定も非常に簡単で、約１ヶ月も研修すると選べるようになる。
（ロ）本発明により、飲用前に治療効果が予想出来るようになった。
（ハ）本発明により、病位の分類が出来るので、良性、悪性の腫瘍、癌の判定も出来るようになった。
（ニ）これまでは、悪性の腫瘍又は癌になると治療に手も足も出なかったが、本発明により、生薬の配合方法によって薬氣エネルギーの強化が出来るようになったので、難病の治療方法が明確に出来るようになった。
（ホ）本発明により、配合禁忌が解るので、副作用も回避出来るようになった。
（ヘ）本発明により、次のような事項も判定出来るようになった。
ａ）体質・薬氣エネルギーコーナーの利用により（チャート内にある）
１．東洋医学の１４体質分類（実証９〜１５、虚証体質６〜０）
２．漢方薬及び生薬の薬氣エネルギー（市販品０〜１５）
３．治療効果の高い薬氣エネルギー
（瀉薬１４０、補薬−１２５以上）の判定
４．病  位（１２経絡の反応の大きさによる）悪い所程反応が大きい
５．生氣と邪氣（正常値は生氣１０＞邪氣５）
６．食品エネルギー（瀉食９→１４、補食６→１）
→の方向の数字がエネルギーが多い
７．姓名判断（一般人は９〜１０、幸運な人は１２以上）
ｂ）オーラ分類コーナーで知る事ができるもの
１．オーラ（運氣、精神エネルギー、人格の表現）の判定
２．相  性（吉、大吉、最大吉、凶、大凶、最大凶）の判定
３．家  相（一般の家庭３０〜４０、大変良い６１以上）
４．宝  石（オーラの大きいもの程本物）
５．寿  命（１〜１２５才）の判定
６．人間分類（オーラ）
（１１０以上心豊かな人・成功者、８０〜１００優れている人、５０〜７０普通人、２０〜４０心の荒廃した人、５〜１０病人、４〜１重症（特に癌、重症な糖尿病、不治の病））
７．方  位（吉と凶の方位）
【発明を実施するための最良の形態】
【０００６】  以下、本発明の実施の形態を説明する。
（イ）木製安定台座（５）の表面の四角にある木製の穴に高いアングル棒（６）を左側の二つの穴に差し込み、右側の二つの穴には低いアングル棒（７）を差し込み、アングルの左右の頂点に傾斜状の真鍮丸棒（８）を渡しそれぞれ針金で結び固定部（１１）とする。
（ロ）傾斜状の真鍮丸棒（８）の高い方から３分の１の所に約３０ｃｍの長さの絹糸（２）の先に鉱石製振り子センサー（１）を結び、測定用チャート（３）の表面１ｃｍ程上まで吊るす。
（ハ）振り子センサー（１）を結んだ横棒のセンサーの結び所（１０）から約１ｃｍ程右側に測定者の指先の位置（９）を設け、指先を置く。
（ニ）測定者用チャート（３）の中央部の黒点に振り子センサー（１）を合わせる。
（ホ）木製台座（５）で安定した測定が出来るように台座の底の四隅に固定マット（４）を貼り付ける。
以上で、物質の特性を知る氣ラジテスターの装備が完了したので、測定を開始する。
本発明は、以上の構成よりなっている。
以下、本発明の使用方法を説明する。
人差し指を（９）に置き、真下にやや強く押す。センサーを軽く縦に振り、知りたい事柄を質問すると、振り子センサーはチャートの図面上を探るように放射線状に移動し、一定の所で往復運動を起こし、固定して測定値を知る。
例を挙げて説明する。
（イ）生理痛の病名の時
実証体質ですか、それとも虚証体質ですかと質問すると、左側に徐々に移動し、１４の所を差す。これは実証体質で一番病位が深いことを表す。漢方用語で表すと実熱燥の体質を表している。次に病名による漢方方剤の選定表を見ると桃核承気湯と言う方剤がでて来る。
この方剤を飲用すると徐々に痛みが取れてくる。更により効果を高めるには、選定表の右側の横並びの方剤を見ると、当帰芍薬散が現れるので、７・３に配合すると良い。
（ロ）オーラ（精神力、人格、幸運）を測定する
佐藤さんのオーラはいくつですか、と質問すると、振り子センサーは左側に放射線状に徐々に移動し、１１０ｃｍの所で固定する人は、人格者及び成功者が多く、右側に移動し、３ｃｍの所で固定すると、悪性の癌患者と判定される。一般の人は５０〜７０ｃｍである。
【図面の簡単な説明】
【０００７】
【図１】本発明の斜視図
【図２】本発明の分解斜視図とする
【図３】本発明の測定用チャート図の正面図
【符号の説明】
【０００８】  １．振り子センサー
２．絹糸
３．測定用チャート
４．固定用マット
５．木製安定台座
６．高いアングル
７．低いアングル
８．真鍮丸棒
９．振り子センサーの結び所
１０．測定時の人差し指の位置
１１．固定部（針金で結ぶ）
【図１】
2008067586.tif 000003
【図２】
2008067586.tif 000004
【図３】
2008067586.tif 000005